(57)【要約】【課題】分割コアどうしをリベット等の締結手段により連結することなく、電機子鉄心を組み立てることができるインナーロータ型回転電機用固定子を提供する。【解決手段】円弧状の分割コア１を複数個周方向に並べた構造を有する環状の電機子鉄心２と、電機子鉄心に被せて取りつけた円弧状の分割ボビン３００を電機子鉄心の周方向に沿って複数個並べた構造を有するボビン組立体３と、電機子鉄心の各突極部にボビン組立体のコイル巻回用胴部を介して巻回されたコイルとを備えたインナーロータ型回転電機用固定子において、各分割ボビン３００を、隣り合う分割コアに跨って配置し、複数の分割ボビン３００を電機子鉄心に被せてボビン組立体３を組み立てた際に、ボビン組立体により電機子鉄心を構成する複数の分割コアが拘束されて保持されるように構成した。【選択図】    図４
2007306636.tif 000002
【特許請求の範囲】
【請求項１】
円弧状のヨークから複数の突極部を径方向の内側に突出させた形状を有する円弧状の分割コアを複数個周方向に並べてそれぞれのヨークの隣り合う端部どうしを突き合わせた構造を有する環状の電機子鉄心と、前記電機子鉄心に被せた状態で配置された円弧状の分割ボビンを複数個前記電機子鉄心の周方向に沿って並べた構造を有して前記電機子鉄心の各突極部に被さった部分がコイル巻回用胴部を構成しているボビン組立体と、前記電機子鉄心の各突極部に前記ボビン組立体のコイル巻回用胴部を介して巻回されたコイルとを備えたインナーロータ型回転電機用固定子において、
前記各分割ボビンは、隣り合う分割コアに跨って配置され、
前記複数の分割ボビンを前記電機子鉄心に被せて前記ボビン組立体を組み立てた際に、該ボビン組立体により前記電機子鉄心を構成する複数の分割コアが拘束されて環状に並ぶ状態に保持されるように構成されていること、
を特徴とするインナーロータ型回転電機用固定子。
【請求項２】
円弧状のヨークから複数の突極部を径方向の内側に突出させた形状を有する円弧状の分割コアを複数個周方向に並べてそれぞれのヨークの隣り合う端部どうしを突き合わせた構造を有する環状の電機子鉄心と、前記電機子鉄心の軸線方向の一方の側から前記電機子鉄心に被せた状態で配置された円弧状の第１の分割ボビン半部と前記電機子鉄心の軸線方向の他方の側から前記電機子鉄心に被せた状態で配置された円弧状の第２の分割ボビン半部とからなる分割ボビンを複数個前記電機子鉄心の周方向に沿って並べた構造を有して前記電機子鉄心の各突極部に被さった部分がコイル巻回用胴部を構成しているボビン組立体と、前記電機子鉄心の各突極部に前記ボビン組立体のコイル巻回用胴部を介して巻回されたコイルとを備えたインナーロータ型回転電機用固定子において、
前記各分割ボビンは、隣り合う分割コアに跨って配置され、
前記各分割ボビンを構成する第１及び第２の分割ボビン半部を前記電機子鉄心に被せて前記ボビン組立体を組み立てた際に、該ボビン組立体により前記電機子鉄心を構成する分割コアが拘束されて環状に並ぶ状態に保持されるように構成されていること、
を特徴とするインナーロータ型回転電機用固定子。
【発明の詳細な説明】
【技術分野】
【０００１】
本発明は、円弧状に形成された複数の分割コアを周方向に並べて突き合わせることにより構成された電機子鉄心を用いたインナーロータ型回転電機用固定子に関するものである。
【背景技術】
【０００２】
磁石式交流発電機や、ブラシレスモータ等のインナーロータ型の回転電機に用いる固定子は、環状のヨークから径方向の内側に多数の突極部を突出させた構造を有する電機子鉄心と、この電機子鉄心の突極部にボビンを介して巻回されたコイルとにより構成される。回転電機のロータ（回転子）は、固定子の内側に配置されて、その磁極が電機子鉄心の各突極部の先端に形成された磁極面にエアギャップを介して対向させられる。
【０００３】
通常電機子鉄心は、ヨークと突極部とを形成する部分を有する形状に打ち抜かれた鋼板を多数枚積層して、リベットや、順送り積層法等の適宜の手段により締結することにより製造される。
【０００４】
なお順送り積層法は、鋼板を打ち抜く工程で、打ち抜かれた鋼板の一部に平行な切れ目を入れて切れ目の間の部分をへの字形に折り曲げる等の方法により、鋼板の一方の面側に凸部を有し、他方の面側に凹部を有する結合部を形成しておいて、後から打ち抜かれた鋼板に形成された結合部の凸部を、先に打ち抜かれた鋼板の結合部の凹部に圧入しながら、順次打ち抜かれる鋼板を積層していく周知の方法である。
【０００５】
回転電機が比較的小型である場合には、電機子鉄心の径が小さく、電機子鉄心を打ち抜くために用いる型も小型のものでよいため、電機子鉄心全体の輪郭形状に相応した輪郭形状を有する形に打ち抜かれた環状の鋼板を積層していくだけで電機子鉄心を構成することができる。しかしながら、大出力を発生させるために、回転電機を大型に構成する必要がある場合には、電機子鉄心の径が非常に大きくなるため、電機子鉄心を構成する環状の鋼板を一度に打ち抜こうとすると、大型の打ち抜き型を扱える大型の鋼板打ち抜き装置を用意することが必要になり、製造コストが非常に高くなってしまう。
【０００６】
そこで、固定子が大型である場合には、電機子鉄心を周方向に複数に分割した分割構造を採用することが行われている。分割構造の電機子鉄心は、円弧状のヨークから複数の突極部を径方向の内側に突出させた形状を有する円弧状の分割コアを複数個周方向に並べて、それぞれの分割コアのヨークの隣り合う端部どうしを突き合わせた構造を有している。図７は、分割構造の電機子鉄心の半部の構成を示したもので、同図において、１は環状の電機子鉄心を４分割したものに相当する分割コアである。図７においては、合計４個設けられる分割コア１の内の２つが示されている。各分割コア１は、所定の形状に打ち抜かれた鋼板の積層体からなっていて、極弧角が９０°の円弧状のヨーク１０１と、ヨーク１０１の内周部から径方向の内側に突出した複数（図示の例では６個）の突極部１０２とを有している。
【０００７】
図示の例では、各分割コア１が軸線方向に積層された３つのブロックＢ1乃至Ｂ3からなっている。中央のブロックＢ2のヨーク部分は、その周方向の一端が他の２つのブロックＢ1及びＢ3の周方向端部よりも突出し、他方の周方向端部が他の２つのブロックの周方向端部よりも内側に退避した位置に配置されるように設けられている。これにより、分割コアの周方向の一方の端部側に凸部１０３が、また他方の端部側に凹部１０４がそれぞれ形成されている。図示してないが、同様に構成された分割コア１が更に２つ設けられ、これら４個の分割コアが周方向に並べられて隣り合う分割コアの端部どうしが突き合わされ、隣り合う各２つの分割コアの一方の凸部１０３が他方の凹部１０４に嵌合されて、環状の電機子鉄心２が構成される。図示の例では、隣り合う分割コア同士がリベットや通しボルトからなる鉄製の締結手段１０５により締結されて、分割コアが分離することがないように結合されている。
【０００８】
図７において、３は電機子鉄心２のコイルが巻回される部分（突極部１０２のコイル巻回部）を絶縁するために電機子鉄心に取りつけられたボビン組立体である。ボビン組立体３は、電機子鉄心の各分割コア毎に設けられて、軸線方向の一方の側（図７の例では同図において上側）から対応する分割コアに被せた状態で配置された円弧状の第１の分割ボビン半部３００Ａと、対応する分割コアの軸線方向の他方の側から該分割コアに被せた状態で配置された円弧状の第２の分割ボビン半部３００Ｂとからなる分割ボビン３００を、分割コアと同数（図示の例では４個）有していて、これらの分割ボビンが電機子鉄心の周方向に沿って並べられて、隣り合う端部どうしが突き合わされることにより、ボビン組立体３が構成されている。ボビン組立体３の電機子鉄心の各突極部に被さった部分がコイル巻回用胴部３０１を構成しており、各コイル巻回用胴部に図示しないコイルが巻回される。
【０００９】
分割構造の電機子鉄心は、特許文献１や特許文献２に記載されているように、本来は、多数の突極部へのコイルの巻回を容易にするために提案されたものであるが、この構造は、大形の回転電機用固定子において、電機子鉄心の製造を容易にするためにも有用である。各突極へのコイルの巻回を容易にする目的で分割コアの構造を採用する場合には、各突極にコイルが巻回された後に、分割コアが相互に結合されて環状の電機子鉄心が組み立てられる。しかし、大形の電機子鉄心を製造し易くするために分割コアの構造を採用する場合には、必ずしもコイルの巻回を先に行う必要はなく、電機子鉄心を組み立てた後にコイルを巻回してもよい。大形の電機子鉄心が用いられる場合には、その内側に巻線機のフライヤーを挿入することが容易であるので、電機子鉄心を組み立てた後でもコイルの巻回作業を行うことができる。
【特許文献１】特開平１０−２３４１４４号公報
【特許文献２】特開２００２−２６２４９６号公報
【発明の開示】
【発明が解決しようとする課題】
【００１０】
従来の分割コア構造の電機子鉄心を用いたインナーロータ型の回転電機用固定子においては、隣り合う分割コアどうしをリベットなどの締結手段１０５により連結していたが、鉄製のリベット等により分割コアを連結すると、分割コアを構成する鋼板が積層方向につながってしまうため、渦電流損が生じやすくなって、回転電機の損失が増えるという問題があった。
【００１１】
また隣り合う分割コアどうしを締結手段により締結するようにすると、締結作業を行う分だけ電機子鉄心の組み立て作業の工数が増えるため、製造コストが高くなるのを避けられなかった。
【００１２】
本発明の目的は、隣り合う分割コアどうしをリベット等の締結手段により連結することなく、電機子鉄心を組み立てることができるようにしたインナーロータ型回転電機用固定子を提供することにある。
【課題を解決するための手段】
【００１３】
本発明は、円弧状のヨークから複数の突極部を径方向の内側に突出させた形状を有する円弧状の分割コアを複数個周方向に並べてそれぞれのヨークの隣り合う端部どうしを突き合わせた構造を有する環状の電機子鉄心と、電機子鉄心に被せた状態で配置された円弧状の分割ボビンを複数個電機子鉄心の周方向に沿って並べた構造を有して電機子鉄心の各突極部に被さった部分がコイル巻回用胴部を構成しているボビン組立体と、電機子鉄心の各突極部にボビン組立体のコイル巻回用胴部を介して巻回されたコイルとを備えたインナーロータ型回転電機用固定子を対象とする。
【００１４】
本発明においては、各分割ボビンを、隣り合う分割コアに跨って配置し、複数の分割ボビンを電機子鉄心に被せてボビン組立体を組み立てた際に、該ボビン組立体により電機子鉄心を構成する複数の分割コアが拘束されて環状に並ぶ状態に保持されるようにした。
【００１５】
通常ボビン組立体としては、電機子鉄心の軸線方向に分割された分割構造のものが用いられる。分割構造のボビン組立体は、電機子鉄心の軸線方向の一方の側から電機子鉄心に被せた状態で配置された円弧状の第１の分割ボビン半部と電機子鉄心の軸線方向の他方の側から電機子鉄心に被せた状態で配置された円弧状の第２の分割ボビン半部とからなる分割ボビンを複数個電機子鉄心の周方向に沿って並べた構造を有して、電機子鉄心の各突極部に被さった部分がコイル巻回用胴部を構成する。この場合も、各分割ボビンを、隣り合う分割コアに跨って配置して、各分割ボビンを構成する第１及び第２の分割ボビン半部を電機子鉄心に被せてボビン組立体を組み立てた際に、該ボビン組立体により電機子鉄心を構成する分割コアが拘束されて環状に並ぶ状態に保持されるようにする。
【００１６】
上記のように、各分割ボビンを、隣り合う分割コアに跨って配置して、複数の分割ボビンを電機子鉄心に被せてボビン組立体を組み立てた際に、該ボビン組立体により電機子鉄心を構成する複数の分割コアが拘束されて環状に並ぶ状態に保持されるようにしておくと、リベット等の締結手段を用いて隣り合う分割コアどうしを連結する必要がないため、電機子鉄心を構成する鋼板がリベット等の締結手段により積層方向に接続されて渦電流損が増加するのを防ぐことができ、回転電機の損失の低減を図ることができる。
【００１７】
また上記のように構成すると、分割コアどうしを締結するための工程を行う必要がないため、製造工数を削減して製造コストの低減を図ることができる。
【発明の効果】
【００１８】
以上にように、本発明によれば、各分割ボビンを、隣り合う分割コアに跨って配置して、複数の分割ボビンを電機子鉄心に被せてボビン組立体を組み立てた際に、該ボビン組立体により電機子鉄心を構成する複数の分割コアが拘束されて環状に並ぶ状態に保持されるようにしたので、従来分割コアを連結するために用いていたリベット等の締結手段を省略することができる。従って、電機子鉄心を構成する鋼板がリベット等の締結手段により積層方向に接続されて渦電流損が増加するのを防ぐことができ、回転電機の損失の低減を図ることができる。また分割コアどうしを締結するための工数を行う必要がないため、製造工数を削減して製造コストの低減を図ることができる。
【発明を実施するための最良の形態】
【００１９】
以下図１ないし図６を参照して本発明の好ましい実施形態を詳細に説明する。
図１は本実施形態で用いる電機子鉄心の構造を示した斜視図で、同図において、１は環状の電機子鉄心を４分割したものに相当する分割コアである。各分割コア１は、図２に示したように所定の形状に打ち抜かれた鋼板の積層体からなっていて、極弧角が９０°の円弧状のヨーク１０１と、ヨーク１０１の内周部から径方向の内側に突出した複数（図示の例では６個）の突極部１０２とを有している。各突極部１０２の先端には図示しない回転子の磁極に対向する磁極部１０２ａが形成されている。
【００２０】
各分割コア１は軸線方向に積層された３つのブロックＢ1乃至Ｂ3からなっていて、中央のブロックＢ2のヨーク部分は、その周方向の一端が他の２つのブロックＢ1及びＢ3の周方向端部よりも突出し、他方の周方向端部が他の２つのブロックの周方向端部よりも内側に退避した位置に配置されるように設けられている。これにより、分割コアの周方向の一方の端部側に凸部１０３が、また他方の端部側に凹部１０４がそれぞれ形成されている。４個の分割コア１は、周方向に並べられて隣り合う分割コアの端部どうしが突き合わされ、隣り合う各２つの分割コアの一方の凸部１０３が他方の凹部１０４に嵌合されて、２４極の環状の電機子鉄心２が構成されている。従来の固定子において、隣り合う分割コア同士を連結するために用いられていたリベットや通しボルトからなる鉄製の締結手段は省略されている。
【００２１】
電機子鉄心２のコイルが巻回される部分（突極部１０２のコイル巻回部）を絶縁するため、電機子鉄心２に、図３及び図４に示されたような分割構造のボビン組立体３が取りつけられる。ボビン組立体３は、電機子鉄心２の軸線方向の一方の側から電機子鉄心２に被せた状態で配置された円弧状の第１の分割ボビン半部３００Ａと、電機子鉄心２の軸線方向の他方の側から該電機子鉄心に被せた状態で配置された円弧状の第２の分割ボビン半部３００Ｂ（図４参照）とからなる円弧状の分割ボビン３００を、４個周方向に並べた構造を有している。
【００２２】
第１の分割ボビン半部３００Ａは、図３に示したように、電機子鉄心のヨークの内周面に当接した状態で配置される周壁部３１０と、電機子鉄心のヨークの軸線方向の端面の内周寄りの部分に当接した状態で配置されるつば板部３１１と、つば板部３１１の周壁部３１０と反対側の端部から軸線方向に突出した起立壁部３１２と、断面がコの字形を呈するように形成されて周壁部３１０から径方向の内側に突出したコイル巻回用胴部形成部３１３と、コイル巻回用胴部形成部３１１の先端に形成されたつば板部３１４とを一体に有している。第２の分割ボビン半部３００Ｂは、第１の分割ボビン半部３００Ａとほぼ対称な形状に形成され、第１の分割ボビン半部３００Ａと第２の分割ボビン半部３００Ｂとを電機子鉄心に被せてそれぞれのコイル巻回用胴部形成部３１３を突き合わせた際に、両分割ボビン半部のコイル巻回用胴部形成部によりコイル巻回用銅部が構成されるようになっている。
【００２３】
本発明においては、各分割ボビン３００が、隣り合う分割コアに跨って配置され、各分割ボビン３００を構成する第１及び第２の分割ボビン半部３００Ａ及び３００Ｂを電機子鉄心２に被せてボビン組立体３を組み立てた際に、該ボビン組立体３により電機子鉄心２を構成する分割コア１，１，…が拘束されて環状に並ぶ状態に保持されるようになっている。
【００２４】
図４は、２つの分割コア１，１からなる電機子鉄心の半部に２つの分割ボビン３００を取りつけた状態を示したもので、この状態では、同図において右側に配置された分割コア１の左半部と左側に配置された分割コア１の右半部とに跨って１つの分割ボビン３００が配置され、左側の分割コア１の左半部に他の分割ボビン３００の半部が被されている。図４においては分割コア１が２つしか図示されていないため、左側に配置された分割コア１の左半部に被された分割ボビン３００の左半部は分割コアに被さっていないが、実際には、左側に配置された分割コア１の左半部に被された分割ボビン３００の左半部が更に他の分割コアに被せた状態で配置される。
【００２５】
上記のように、本発明では、各分割ボビンを、隣り合う分割コアに跨って配置して、複数の分割ボビンを電機子鉄心に被せてボビン組立体を組み立てた際に、該ボビン組立体により電機子鉄心を構成する複数の分割コアが拘束されて環状に並ぶ状態に保持されるようにたので、リベット等の締結手段を用いることなく、電機子鉄心を組み立てることができる。
【００２６】
上記のようにして組み立てられ、ボビン組立体３が取りつけられた電機子鉄心２の各突極部１０２に、ボビン組立体３により構成されたコイル巻回用胴部を介してコイルが巻回されて、回転電機用固定子が完成される。
【００２７】
図５は、２４極の電機子鉄心に巻回されたコイルの結線例を示したもので、この例では、１番から２４番の番号が付された突極部にそれぞれコイルＬ1ないしＬ24が巻回され、これらのコイルが渡り線を介して接続されることにより、図６に示すように３相星形結線された電機子コイル５が構成されている。図示の例では、コイルＬ1ないしＬ6により星形結線された第１の３相コイルＡ1が構成され、コイルＬ7ないしＬ12により星形結線された第２の３相コイルＡ2が構成されている。またコイルＬ13ないしＬ18により星形結線された第３の３相コイルＡ3が、コイルＬ19ないしＬ24により星形結線された第４の３相コイルＡ4がそれぞれ構成され、第１ないし第４の３相コイルＡ1ないしＡ4が並列接続されて、ＵないしＷの端子が引き出された３相の電機子コイル５が構成されている。
【００２８】
なお電機子コイルの結線は上記の例に限られるものではなく、回転電機の用途に応じて適宜の結線が採用される。
【００２９】
上記の例では、電機子鉄心が２４極に構成されているが、電機子鉄心に設ける突極部の数は任意である。
【図面の簡単な説明】
【００３０】
【図１】本発明の実施形態で用いる電機子鉄心を示した斜視図である。
【図２】図１の電機子鉄心を構成する分割コアの１つを示した斜視図である。
【図３】図１の電機子鉄心に取りつける分割ボビンの半部の構造を示した斜視図である。
【図４】本発明の実施形態において、分割ボビンの配置の仕方を説明するために、２つの分割コアに２つの分割ボビンを取り付け状態を示した斜視図である。
【図５】本発明の実施形態において電機子鉄心に巻回された巻線の結線の一例を示した巻線図である。
【図６】図５の結線により構成される電機子コイルの電気的な構成を示した回路図である。
【図７】従来の固定子で用いられていた電機子鉄心とボビン組立体の半部の構成を示した斜視図である。
【符号の説明】
【００３１】
１  分割コア
１０１  ヨーク
１０２  突極部
２  電機子鉄心
３  ボビン組立体
３００  分割ボビン
３００Ａ  第１の分割ボビン半部
３００Ｂ  第２の分割ボビン半部
５  電機子コイル
Ｌ1ないしＬ24  コイル
Ａ1ないしＡ4  ３相コイル
【図１】
2007306636.tif 000003
【図２】
2007306636.tif 000004
【図３】
2007306636.tif 000005
【図４】
2007306636.tif 000006
【図５】
2007306636.tif 000007
【図６】
2007306636.tif 000008
【図７】
2007306636.tif 000009